(57)【要約】【課題】無駄な位置登録処理の実施を回避する。【解決手段】本発明に係る移動局ＵＥは、１つ又は複数のＣＳＧセルＩＤを管理するように構成されているＣＳＧセル管理部１１と、受信した報知情報に含まれる第１ＣＳＧセルＩＤが、ＣＳＧセル管理部１１によって管理されていない場合、報知情報に含まれる所定期間の間、第１ＣＳＧセルＩＤによって特定される第１ＣＳＧセルを、セル選択、セル再選択、ＰＬＭＮ選択又は自動的なＣＳＧセル検索の対象セルから外すように構成されている制御部１４とを具備する。【選択図】図２
2010178361.tif 000002
【特許請求の範囲】
【請求項１】
１つ又は複数のＣＳＧセルＩＤを管理するように構成されているＣＳＧセル管理部と、
受信した報知情報に含まれる第１ＣＳＧセルＩＤが、前記ＣＳＧセル管理部によって管理されていない場合、該報知情報に含まれる所定期間の間、該第１ＣＳＧセルＩＤによって特定される第１ＣＳＧセルを、セル選択、セル再選択、ＰＬＭＮ選択又は自動的なＣＳＧセル検索の対象セルから外すように構成されている制御部とを具備することを特徴とする移動局。
【請求項２】
前記制御部は、前記第１ＣＳＧセルＩＤが、前記ＣＳＧセル管理部によって管理されている場合には、前記第１ＣＳＧセルにおける通信が規制されている場合であっても、該第１ＣＳＧセルを、セル選択、セル再選択、ＰＬＭＮ選択又は自動的なＣＳＧセル検索の対象セルとするように構成されていることを特徴とする請求項１に記載の移動局。
【請求項３】
第１ＣＳＧセルにおいて、第１ＣＳＧセルＩＤ及び所定期間を含む報知情報を送信する工程と、
１つ又は複数のＣＳＧセルＩＤを管理するように構成されているＣＳＧセル管理部を具備する移動局が、受信した前記報知情報に含まれる前記第１ＣＳＧセルＩＤが、該ＣＳＧセル管理部によって管理されていない場合、該報知情報に含まれる前記所定期間の間、該第１ＣＳＧセルＩＤによって特定される第１ＣＳＧセルを、セル選択、セル再選択、ＰＬＭＮ選択又は自動的なＣＳＧセル検索の対象セルから外す工程とを有することを特徴とする移動通信方法。
【請求項４】
第１ＣＳＧセルにおいて、第１ＣＳＧセルＩＤ及び所定期間を含む報知情報を送信するように構成されており、
前記所定期間は、１つ又は複数のＣＳＧセルＩＤを管理するように構成されているＣＳＧセル管理部を具備する移動局が、受信した前記報知情報に含まれる前記第１ＣＳＧセルＩＤが、該ＣＳＧセル管理部によって管理されていない場合、該第１ＣＳＧセルＩＤによって特定される第１ＣＳＧセルを、セル選択、セル再選択、ＰＬＭＮ選択又は自動的なＣＳＧセル検索の対象セルから外す期間を示すことを特徴とするネットワーク装置。
【発明の詳細な説明】
【技術分野】
【０００１】
本発明は、移動局、移動通信方法及びネットワーク装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）方式及びＬＴＥ（Ｌｏｎｇ  Ｔｅｒｍ  Ｅｖｏｌｕｔｉｏｎ）方式の移動通信システムにおいて、特定の移動局ＵＥのみが利用可能なセルとして「ＣＳＧ（Ｃｌｏｓｅｄ  Ｓｕｂｓｃｒｉｂｅｒ  Ｇｒｏｕｐ）の導入が検討されている。
【０００３】
具体的には、ＣＳＧセルは、既存の無線基地局（マクロセル）からの電波が届かない建物内等のような場所に配置され、特定の移動局ＵＥに対してのみ、特定のサービスを提供することを目的に検討されている。
【０００４】
移動局ＵＥが、ＣＳＧセルを利用するためには、ＣＳＧセルに対して位置登録を行う必要があり、位置登録に成功した移動局ＵＥのみが、かかるＣＳＧセルにおける特定のサービスを利用することができる。
【先行技術文献】
【非特許文献】
【０００５】
【非特許文献１】３ＧＰＰ  ＴＲ２４.８０１  ｖ８.０.１  （２００８年１０月）
【発明の概要】
【発明が解決しようとする課題】
【０００６】
移動局ＵＥは、セル選択（Ｃｅｌｌ  Ｓｅｌｅｃｔｉｏｎ）処理やセル再選択（Ｃｅｌｌ  Ｒｅｓｅｌｅｃｔｉｏｎ）処理やＰＬＭＮ選択（ＰＬＭＮ  Ｓｅｌｅｃｔｉｏｎ）処理や自動的なＣＳＧセル検索処理において、最も無線状態が良いセルとしてＣＳＧセルを検出した場合、かかるＣＳＧセルに対して位置登録を試みるが、かかるＣＳＧセルによって位置登録が拒否された場合には、かかるＣＳＧセルを利用することができない。
【０００７】
しかしながら、その後も、移動局ＵＥが、セル選択処理やセル再選択処理やＰＬＭＮ選択処理や自動的なＣＳＧセル検索処理において、最も無線状態が良いセルとしてＣＳＧセルを検出し続ける場合、かかるＣＳＧセルに対して位置登録を試み続け、他のセルに対して位置登録を行うことができないという問題点があった。
【０００８】
また、かかる場合、移動局ＵＥは、位置登録の許可されていないＣＳＧセルに対して、位置登録要求信号を繰り返し送信してしまうため、ネットワークにおける不要なトラフィックが増加し、移動局ＵＥのバッテリも浪費してしまうという問題点があった。
【０００９】
また、かかる場合、移動局ＵＥは、位置登録が完了していないＣＳＧセルに在圏し続けるため、通信を開始することができないという問題点があった。
【００１０】
また、かかる場合、移動局ＵＥは、位置登録の許可されていないＣＳＧセルに対して、セル選択やセル再選択やＰＬＭＮ選択や自動的なＣＳＧセル検索を実施してしまうため、移動局ＵＥの処理時間が不要にかかってしまうという問題があった。
【００１１】
そこで、本発明は、上述の課題に鑑みてなされたものであり、無駄な位置登録処理の実施を回避し、上述の通信を開始することができないという状態を回避し、或いは、セル選択やセル再選択やＰＬＭＮ選択や自動的なＣＳＧセル検索にかかる時間を短縮することができる移動局、移動通信方法及びネットワーク装置を提供することを目的とする。
【課題を解決するための手段】
【００１２】
本発明の第１の特徴は、移動局であって、１つ又は複数のＣＳＧセルＩＤを管理するように構成されているＣＳＧセル管理部と、受信した報知情報に含まれる第１ＣＳＧセルＩＤが、前記ＣＳＧセル管理部によって管理されていない場合、該報知情報に含まれる所定期間の間、該第１ＣＳＧセルＩＤによって特定される第１ＣＳＧセルを、セル選択、セル再選択、ＰＬＭＮ選択又は自動的なＣＳＧセル検索の対象セルから外すように構成されている制御部とを具備することを要旨とする。
【００１３】
本発明の第１の特徴において、前記制御部は、前記第１ＣＳＧセルＩＤが、前記ＣＳＧセル管理部によって管理されている場合には、前記第１ＣＳＧセルにおける通信が規制されている場合であっても、該第１ＣＳＧセルを、セル選択、セル再選択、ＰＬＭＮ選択又は自動的なＣＳＧセル検索の対象セルとするように構成されていてもよい。
【００１４】
本発明の第２の特徴は、移動通信方法であって、第１ＣＳＧセルにおいて、第１ＣＳＧセルＩＤ及び所定期間を含む報知情報を送信する工程と、１つ又は複数のＣＳＧセルＩＤを管理するように構成されているＣＳＧセル管理部を具備する移動局が、受信した前記報知情報に含まれる前記第１ＣＳＧセルＩＤが、該ＣＳＧセル管理部によって管理されていない場合、該報知情報に含まれる前記所定期間の間、該第１ＣＳＧセルＩＤによって特定される第１ＣＳＧセルを、セル選択、セル再選択、ＰＬＭＮ選択又は自動的なＣＳＧセル検索の対象セルから外す工程とを有することを要旨とする。
【００１５】
本発明の第３の特徴は、ネットワーク装置であって、第１ＣＳＧセルにおいて、第１ＣＳＧセルＩＤ及び所定期間を含む報知情報を送信するように構成されており、前記所定期間は、１つ又は複数のＣＳＧセルＩＤを管理するように構成されているＣＳＧセル管理部を具備する移動局が、受信した前記報知情報に含まれる前記第１ＣＳＧセルＩＤが、該ＣＳＧセル管理部によって管理されていない場合、該第１ＣＳＧセルＩＤによって特定される第１ＣＳＧセルを、セル選択、セル再選択、ＰＬＭＮ選択又は自動的なＣＳＧセル検索の対象セルから外す期間を示すことを要旨とする。
【発明の効果】
【００１６】
以上説明したように、本発明によれば、無駄な位置登録処理の実施を回避し、上述の通信を開始することができないという状態を回避し、或いは、セル選択やセル再選択やＰＬＭＮ選択や自動的なＣＳＧセル検索にかかる時間を短縮することができる移動局、移動通信方法及びネットワーク装置を提供することができる。
【図面の簡単な説明】
【００１７】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を示すフローチャートである。
【図４】本発明の第１の実施形態に係る移動局の動作を示すフローチャートである。
【発明を実施するための形態】
【００１８】
（本発明の第１の実施形態に係る移動通信システムの構成）
図１及び図２を参照して、本発明の第１の実施形態に係る移動通信システムの構成について説明する。
【００１９】
図１に示すように、本実施形態に係る移動通信システムは、マクロセル＃Ａ及びマクロセル＃Ｂを配置しており、マクロセル＃Ａ内にＣＳＧセル＃１を配置するように構成されている。
【００２０】
ここで、本実施形態に係る移動通信システムでは、ＬＴＥ方式の無線基地局ｅＮＢやＵＭＴＳ方式の無線回線制御局ＲＮＣ等のネットワーク装置が、第１ＣＳＧセルにおいて、第１ＣＳＧセルＩＤ及び所定期間を含む報知情報を送信するように構成されている。
【００２１】
図２に示すように、移動局ＵＥは、ＣＳＧセル管理部１１と、受信部１２と、メモリ１３と、制御部１４とを具備している。
【００２２】
ＣＳＧセル管理部１１は、１つ又は複数のＣＳＧセルＩＤを管理するように構成されている。ここで、かかるＣＳＧセル管理部１１によって管理されるＣＳＧセルＩＤは、移動局ＵＥが利用可能であるＣＳＧセルを特定するセルＩＤであり、「Ｗｈｉｔｅ  Ｌｉｓｔ」と呼ばれることもある。
【００２３】
例えば、ＬＴＥ方式においては、ＣＳＧセルＩＤは、報知情報ＳＩＢ１に含まれている「Ｃｅｌｌ  Ｉｎｄｉｃａｔｏｒ（１ビット）」と、報知情報ＳＩＢ２に含まれている「Ｃｅｌｌ  ＩＤ（２８ビット）」とからなる２９ビットの情報である。
【００２４】
一方、ＵＭＴＳ方式においては、ＣＳＧセルＩＤは、報知情報ＳＩＢ３に含まれている「Ｃｅｌｌ  Ｉｎｄｉｃａｔｏｒ（１ビット）」と、報知情報ＳＩＢ３に含まれる「Ｃｅｌｌ  ＩＤ（２８ビット）」とからなる２９ビットの情報である。
【００２５】
なお、かかるＣＳＧセルＩＤは、移動局ＵＥの販売店等において記憶されるように構成されていてもよいし、移動局ＵＥのユーザの申し込みに応じて記憶されるように構成されていてもよい。また、かかる申し込みは、登録用の機器と端末を有線若しくは無線で接続して行ってもよいし、ネットワーク経由で行ってもよい。
【００２６】
受信部１２は、周辺セルからの報知情報を受信し、かかる報知情報を制御部１４に転送するように構成されている。
【００２７】
具体的には、受信部１２は、ＬＴＥ方式においては、受信した報知情報ＳＩＢ１に含まれる「Ｔｂａｒｒｅｄ」や「Ｃｅｌｌ  ｂａｒｒｅｄ」等を制御部１４に転送するように構成されている。
【００２８】
また、受信部１２は、ＵＭＴＳ方式においては、受信した報知情報ＳＩＢ３に含まれる「Ｔｂａｒｒｅｄ」や「Ｃｅｌｌ  ｂａｒｒｅｄ」等を制御部１４に転送するように構成されている。
【００２９】
例えば、「Ｔｂａｒｒｅｄ」に設定され得る値は、１０秒、２０秒、４０秒、８０秒、１６０秒、３２０秒、６４０秒、１２８０秒等が想定される。
【００３０】
また、受信部１２は、受信した報知情報に含まれる「Ｃｅｌｌ  Ｉｎｄｉｃａｔｏｒ」と「Ｃｅｌｌ  ＩＤ」とによって構成されるＣＳＧセルＩＤを制御部１４に転送するように構成されている。
【００３１】
さらに、受信部１２は、検出したセルの「Ｐｒｉｍａｒｙ  Ｓｃｒａｍｂｌｉｎｇ  Ｃｏｄｅ（ＵＭＴＳ方式セル）」や「Ｐｈｙｓｉｃａｌ  Ｃｈａｎｎｅｌ  Ｉｄｅｎｔｉｆｉｅｒ（ＬＴＥ方式セル）」を制御部１４に転送するように構成されている。
【００３２】
制御部１４は、受信部１２から転送された報知情報をメモリ１３に記憶するように構成されている。
【００３３】
また、制御部１４は、セル選択処理やセル再選択処理やＰＬＭＮ選択処理や自動的なＣＳＧセル検索を行うように構成されている。具体的には、移動局ＵＥが、圏外状態に遷移した場合に、制御部１４は、セル選択処理やＰＬＭＮ選択処理を行うように構成されている。一方、移動局ＵＥが、アイドル状態である場合に、制御部１４は、所定条件が満たされた場合に、セル再選択処理や自動的なＣＳＧセル検索処理を行うように構成されている。
【００３４】
通常、制御部１４は、セル再選択や自動的なＣＳＧセル検索の対象セルとして、「Ｐｒｉｍａｒｙ  Ｓｃｒａｍｂｌｉｎｇ  Ｃｏｄｅ（ＵＭＴＳ方式セル）」や「Ｐｈｙｓｉｃａｌ  Ｃｈａｎｎｅｌ  Ｉｄｅｎｔｉｆｉｅｒ（ＬＴＥ方式セル）」としてメモリ１３に記憶されているセルとする。
【００３５】
また、制御部１４は、セル選択やＰＬＭＮ選択の対象セルとして、本実施形態に係る移動通信システムにおける全てのセル（すなわち、本実施形態に係る移動通信システムで使用可能な全ての周波数における全てのスクランブルコードによって規定されるセル）とする。
【００３６】
ここで、制御部１４は、受信した報知情報に含まれておりメモリ１３に記憶されたＣＳＧセルＩＤ（第１ＣＳＧセルＩＤ）が、ＣＳＧセル管理部１１によって管理されていない場合、かかる報知情報に含まれる「Ｔｂａｒｒｅｄ」によって指定される所定期間の間、かかるＣＳＧセルＩＤ（第１ＣＳＧセルＩＤ）によって特定されるＣＳＧセル（第１ＣＳＧセル）を、セル選択、セル再選択、ＰＬＭＮ選択又は自動的なＣＳＧセル検索の対象セルから外すように構成されている。
【００３７】
具体的には、かかる場合、制御部１４は、メモリ１３において、かかる第１ＣＳＧセルに対して「Ｃｅｌｌ  ｂａｒｒｅｄ」を設定することによって、「Ｐｒｉｍａｒｙ  Ｓｃｒａｍｂｌｉｎｇ  Ｃｏｄｅ（ＵＭＴＳ方式セル）」や「Ｐｈｙｓｉｃａｌ  Ｃｈａｎｎｅｌ  Ｉｄｅｎｔｉｆｉｅｒ（ＬＴＥ方式セル）」を用いて、かかる第１ＣＳＧセルを、セル選択、セル再選択、ＰＬＭＮ選択又は自動的なＣＳＧセル検索の対象セルから外すように構成されていてもよい。
【００３８】
また、制御部１４は、一定周期で、ＣＳＧセル管理部１１によって管理されている「Ｐｒｉｍａｒｙ  Ｓｃｒａｍｂｌｉｎｇ  Ｃｏｄｅ（ＵＭＴＳ方式セル）」や「Ｐｈｙｓｉｃａｌ  Ｃｈａｎｎｅｌ  Ｉｄｅｎｔｉｆｉｅｒ（ＬＴＥ方式セル）」を用いて、ＣＳＧセルを対象にセル選択処理を行うように構成されていてもよい。かかるセル選択処理を「自動的なＣＳＧ選択処理」と呼ぶ。
【００３９】
ここで、制御部１４は、上述の第１ＣＳＧセルＩＤが、ＣＳＧセル管理部１１によって管理されている場合には、上述の第１ＣＳＧセルにおける通信が規制されている場合（すなわち、報知情報内に「Ｃｅｌｌ  ｂａｒｒｅｄ」が設定されている場合）であっても、かかる第１ＣＳＧセルを、セル選択やセル再選択やＰＬＭＮ選択や自動的なＣＳＧセル検索の対象セルとするように構成されていてもよい。
【００４０】
すなわち、特定のＣＳＧセルにおいて、通信が規制されている場合であっても、かかる特定のＣＳＧセルの利用が許可されている移動局ＵＥは、かかる特定のＣＳＧセルを介して通信を行うことができるように構成されている。
【００４１】
なお、ＬＴＥ方式の移動通信システムにおけるＣＳＧセルでは、常時、「Ｃｅｌｌ  ｂａｒｒｅｄ」が設定されている報知情報が送信されていてもよいし、「Ｃｅｌｌ  ｂａｒｒｅｄ」が設定されていない報知情報が送信されていてもよい。
【００４２】
また、ＵＭＴＳ方式の移動通信システムにおけるＣＳＧセルでは、常時、「Ｃｅｌｌ  ｂａｒｒｅｄ」が設定されている報知情報が送信されていてもよい。
【００４３】
（本発明の第１の実施形態に係る移動通信システムの動作）
図３及び図４を参照して、本発明の第１の実施形態に係る移動通信システムの動作、具体的には、本発明の第１の実施形態に係る移動通信システムで用いられる移動局ＵＥの動作について説明する。
【００４４】
第１に、図３を参照して、移動局ＵＥがセル選択処理やセル再選択処理やＰＬＭＮ選択処理や自動的なＣＳＧセル検索処理を行う動作について説明する。
【００４５】
図３に示すように、ステップＳ１０１において、制御部１４は、セル選択処理やセル再選択処理やＰＬＭＮ選択処理や自動的なＣＳＧセル検索処理を行う契機としてのセルを検出する。
【００４６】
ステップＳ１０２において、制御部１４は、検出したセルの「Ｐｒｉｍａｒｙ  Ｓｃｒａｍｂｌｉｎｇ  Ｃｏｄｅ（ＵＭＴＳ方式セル）」や「Ｐｈｙｓｉｃａｌ  Ｃｈａｎｎｅｌ  Ｉｄｅｎｔｉｆｉｅｒ（ＬＴＥ方式セル）」をメモリ１３に記憶する。
【００４７】
ステップＳ１０３において、制御部１４は、無線状態が最も良いセルとして選択されたセルからの報知情報に含まれている「Ｔｂａｒｒｅｄ」や「Ｃｅｌｌ  ｂａｒｒｅｄ」や「ＣＳＧセルＩＤ（又は、Ｃｅｌｌ  ＩＤ）」をメモリ１３に記憶する。
【００４８】
ステップＳ１０４において、制御部１４は、かかる報知情報に「ＣＳＧセルＩＤ」が含まれているか否かについて、すなわち、無線状態が最も良いセルとして選択されたセルがＣＳＧセルであるか否かについて判定する。
【００４９】
かかる報知情報に「ＣＳＧセルＩＤ」が含まれていると判断された場合、本動作は、ステップＳ１０６に進み、それ以外の場合には、本動作は、ステップＳ１０５に進む。
【００５０】
ステップＳ１０５において、制御部１４は、かかる無線状態が最も良いセルとして選択されたセルにおいて、従来から規定されている方式に従って動作を継続する。
【００５１】
ステップＳ１０６において、制御部１４は、移動局ＵＥによる当該ＣＳＧセルの利用が許可されているか否かについて、すなわち、かかる報知情報に含まれているＣＳＧセルＩＤがＣＳＧセル管理部１１によって管理されているか否かについて判定する。
【００５２】
許可されていると判定された場合、本動作は、ステップＳ１０７に進み、それ以外の場合には、本動作は、ステップＳ１０８に進む。
【００５３】
ステップＳ１０７にいおいて、制御部１４は、かかる報知情報において設定されている「Ｃｅｌｌ  ｂａｒｒｅｄ」を無視して、当該ＣＳＧセルに対して位置登録処理を行うように構成されている。
【００５４】
ステップＳ１０８において、制御部１４は、「Ｔｂａｒｒｅｄ」を計測するためのタイマを起動し、「Ｔｂａｒｒｅｄ」が経過するまでの間は、かかるＣＳＧセルを、セル選択やセル再選択やＰＬＭＮ選択や自動的なＣＳＧセル検索の対象セルから外す（セル棄却処理）。
【００５５】
第２に、図４を参照して、移動局ＵＥにおける「Ｔｂａｒｒｅｄ」計測用タイマの満了時の動作について説明する。
【００５６】
図４に示すように、ステップＳ２０１において、制御部１４が、「Ｔｂａｒｒｅｄ」計測用タイマの満了、すなわち、セル棄却処理が開始されてから「Ｔｂａｒｒｅｄ」が経過したことを検知する。
【００５７】
ステップＳ２０２において、制御部１４は、かかるセル棄却処理を解除する、すなわち、かかるＣＳＧセルを、再び、セル選択やセル再選択やＰＬＭＮ選択や自動的なＣＳＧセル検索の対象セルとする。
【００５８】
（本発明の第１の実施形態に係る移動通信システムの作用・効果）
本発明の第１の実施形態に係る移動通信システムによれば、移動局ＵＥが、利用が許可されていないＣＳＧセルを、所定期間の間、セル選択やセル再選択やＰＬＭＮ選択や自動的なＣＳＧセル検索の対象セルから外すように構成されているため、不要な位置登録処理を回避することができ、ネットワークリソースに対する不要な影響を回避することができ、セル選択処理やセル再選択処理やＰＬＭＮ選択処理や自動的なＣＳＧセル検索処理にかかる時間を短縮することができる。
【００５９】
また、同様に、本発明の第１の実施形態に係る移動通信システムによれば、移動局ＵＥが、利用が許可されていないＣＳＧセルに対するセル選択処理やセル再選択処理やＰＬＭＮ選択処理や自動的なＣＳＧセル検索処理を行わなくて済むため、移動局ＵＥにおける電力の消費を削減することができる。
【００６０】
なお、上述の移動局ＵＥの動作は、ハードウェアによって実施されてもよいし、プロセッサによって実行されるソフトウェアモジュールによって実施されてもよいし、両者の組み合わせによって実施されてもよい。
【００６１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ内に設けられていてもよい。また、かかる記憶媒体及びプロセッサは、ディスクリートコンポーネントとして移動局ＵＥ内に設けられていてもよい。
【００６３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６４】
ＵＥ…移動局
１１…ＣＳＧセル管理部
１２…受信部
１３…メモリ
１４…制御部
【図１】
2010178361.tif 000003
【図２】
2010178361.tif 000004
【図３】
2010178361.tif 000005
【図４】
2010178361.tif 000006